(57)【要約】      （修正有）【課題】細隙、それに対応する細隙光角度、および方向を容易に調整することができるとともに、眼の視度を測定することができる光学測定装置及びそのシステムを提供する。【解決手段】発光素子１１と、光タイプ生成素子１２と、光源伝送素子１３とを備えている光学測定装置であり、光タイプ生成素子は、盤体と、盤体を貫通している少なくとも一つの円形孔と、円形孔に嵌め込まれている少なくとも１つの円盤と、円盤に設けらた第１磁気素子を有している。光源伝送素子の一端には第２磁気素子を有し、各第１磁気素子は各第２磁気素子と磁気的に接続されている。これにより、光源伝送素子１３が回動する時、円盤の細隙は光源伝送素子とともに回動することができる。また、光学測定システムは、この光学測定装置と焦点整合モジュール４０と、撮影装置５０と演算ユニット６０を含む。【選択図】図１
0003206874.tif 000002
【実用新案登録請求の範囲】
【請求項１】
光学測定装置であって、
測定光を生成する発光素子と、
前記発光素子よりも前記測定光の進行方向の下流側に位置し、前記測定光を受け取る光タイプ生成素子と、
一端に第２磁気素子を有し、前記光タイプ生成素子よりも前記測定光の進行方向の下流側に位置し、光タイプが変更された測定光を伝送する光源伝送素子と、
を備え、
前記光タイプ生成素子は、
盤体と、
前記盤体の２つの表面を貫通している少なくとも一つの円形孔と、
円盤であって、前記測定光を通過させて前記測定光の光タイプを変更して前記円盤の２つの表面を貫通している細隙を有し、前記円盤に対し回動するように前記円形孔に嵌め込まれている少なくとも１つの円盤と、
前記細隙の両側のそれぞれに設けられている少なくとも２つの第１磁気素子と、
を備え、
前記第２磁気素子は数量が前記第１磁気素子と同様であり、
前記光源伝送素子が回動する時、前記円盤および前記細隙も前記光源伝送素子とともに回動するように、各前記第１磁気素子は各前記第２磁気素子と磁気的に接続されている光学測定装置。
【請求項２】
前記発光素子は発光ダイオードである請求項１に記載の光学測定装置。
【請求項３】
前記測定光は可視光または不可視光である請求項１に記載の光学測定装置。
【請求項４】
前記第１磁気素子および前記第２磁気素子は磁石である請求項１に記載の光学測定装置。
【請求項５】
前記光源伝送素子の他端には、分光鏡またはプリズムであり、光タイプが変更された測定光の経路を変更する光学レンズを有する請求項１に記載の光学測定装置。
【請求項６】
前記光源伝送素子において、前記光源伝送素子を通過した光を前記光学レンズに集光させるレンズセットが設けられている請求項５に記載の光学測定装置。
【請求項７】
光学測定装置と、
撮像装置と、
焦点距離整合モジュールと、
演算ユニットと、
を含み、
前記光学測定装置は、
測定光を生成する発光素子と、
前記発光素子よりも前記測定光の進行方向の下流側に位置し、前記測定光を受け取り、  前期測定光の光タイプを変更する光タイプ生成素子と、
前記光タイプ生成素子よりも前記測定光の進行方向の下流側に位置し、光タイプが変更  された測定光を伝送して眼底に入射させる光源伝送素子と、
を有し、
前記撮像装置は、前記眼底に反射した測定光が形成した光タイプの画像を取り込み、前記光タイプの画像を測定画像データに変換し、
前記焦点距離整合モジュールは、前記撮像装置よりも前記反射した測定光の進行方向の上流側に位置し、前記測定画像データの鮮明度を制御し、
前記演算ユニットは、前記測定画像データを受け取って前記測定画像データが鮮明か否かを解析するように前記撮像装置に電気的接続され、前記測定画像データは鮮明でない場合、前記焦点距離整合モジュールが焦点距離を調整し、前記撮像装置が新たな測定画像データを生成するように制御し、前記測定画像データが鮮明である場合、前記焦点距離整合モジュールにおける焦点距離に基づき、対応する視力値を取得する、光学測定システム。
【請求項８】
前記演算ユニットは、コンピュータ、携帯電話またはタブレットであり、前記電気的接続は有線接続または無線接続である請求項７に記載の光学測定システム。
【請求項９】
前記発光素子は発光ダイオードである請求項７に記載の光学測定システム。
【請求項１０】
前記測定光は可視光または不可視光である請求項７に記載の光学測定システム。
【請求項１１】
前記光タイプ生成素子は、
盤体と、
前記盤体の２つの表面を貫通している少なくとも一つの円形孔と、
円盤であって、前記測定光を通過させて前記測定光の光タイプを変更して前記円盤の２つの表面を貫通している細隙を有し、前記円盤に対し回動するように前記円形孔に嵌め込まれている少なくとも１つの円盤と、
前記細隙の両側のそれぞれに設けられている少なくとも２つの第１磁気素子と、
をさらに有する請求項７に記載の光学測定システム。
【請求項１２】
前記撮像装置は、相補型金属酸化膜半導体（ＣＭＯＳ）イメージセンサまたは電荷結合素子（ＣＣＤ）イメージセンサである請求項７に記載の光学測定システム。
【請求項１３】
前記光源伝送素子が伝送する前記光タイプが変更された測定光が前記眼底に入射する経路に設けられ、前記光タイプが変更された測定光が前記眼底に入射する光量を制御する絞り部材をさらに有する請求項７に記載の光学測定システム。
【請求項１４】
前記焦点距離整合モジュールはマトリックスレンズセットであり、前記マトリックスレンズセットは複数の焦点距離領域を含んでおり、前記複数の焦点距離領域のそれぞれは異なる焦点距離を有する請求項７に記載の光学測定システム。
【請求項１５】
前記焦点距離整合モジュールはそれぞれ異なる焦点距離を有する複数のレンズが嵌め込まれている部材であり、前記部材は前記撮像装置よりも前記反射した測定光の進行方向の上流側に位置し、前記複数のレンズのうちの一つにより前記光タイプの画像を集光して前記撮像装置に入らせる請求項７に記載の光学測定システム。
【請求項１６】
前記焦点距離整合モジュールは少なくとも電気的制御モータおよびレンズセットを含んでおり、前記レンズセットは、前記光タイプの画像を順に前記レンズセットを通過させて前記撮像装置に入射させるように前記撮像装置よりも前記反射した測定光の進行方向の上流側に位置し、前記電気的制御モータは、前記レンズセットの全体の焦点距離を変更する請求項７に記載の光学測定システム。
【請求項１７】
前記焦点距離整合モジュールは少なくとも電気的制御モータおよび充填式レンズ素子を含んでおり、前記充填式レンズ素子は、薄膜で形成されたチャンバーを有し、前記電気的制御モータは、液体を前記チャンバーに充填し、液体の量に応じて前記充填式レンズ素子の焦点距離を変更する請求項７に記載の光学測定システム。
【請求項１８】
前記光源伝送素子の他端には、分光鏡またはプリズムであり、光タイプが変更された測定光の経路を変更する光学レンズを有する、請求項７に記載の光学測定システム。
【請求項１９】
前記光源伝送素子において、前記光源伝送素子を通過した光を前記光学レンズに集光させるレンズセットが設けられている請求項１８に記載の光学測定システム。
【請求項２０】
前記分光鏡または前記プリズムがある角度を回転し、前記光タイプが変更された測定光が前記眼底に入射する位置を変更することで、前記演算ユニットは前記角度と前記測定画像データの相対的関係を解析して視力値を取得する請求項１８に記載の光学測定システム。
【請求項２１】
前記光源伝送素子の一端には第２磁気素子を有し、各前記第１磁気素子は各前記第２磁気素子に磁気的に接続され、前記光源伝送素子が回動する時、前記円盤および前記細隙も前記光源伝送素子とともに回動することで、前記光源伝送素子が伝送する光タイプが変更された測定光を前記眼底に入射させ、
前記第２磁気素子は数量が前記第１磁気素子と同様である請求項１１に記載の光学測定システム。
【請求項２２】
前記第１磁気素子および前記第２磁気素子は磁石である請求項２１に記載の光学測定システム。
【考案の詳細な説明】
【技術分野】
【０００１】
本考案は、眼に用いられる光学測定装置及びそのシステムに関するものである。特に、視力値が測定可能な光学測定装置及びそのシステムに関する。
【背景技術】
【０００２】
現在、眼に用いられてよく知られている光学的測定は、眼圧計、検眼器、眼底鏡や細隙灯装置などがある。例えば、眼底鏡は、眼底（網膜）の病変の有無を検査する工具であり、病変は例えば、糖尿病による網膜の病変（病理的変化）、緑内障、視神経炎や黄斑性病変などである。なお、細隙灯装置は、結膜、強膜、角膜、瞳孔、水晶体および硝子体という眼の外側の三分の一構造を検査して、病変の有無を確認し、また、特別な光学レンズまたは従属部材を加えた場合、眼底の検査をも行える。また、検眼器では人間の眼の視度（diopter）を測るものである。
【０００３】
既存の細隙灯装置の構造上、通常、細隙灯および顕微鏡を含む。細隙灯装置を使用した場合、患者があごをある作業テーブルに当接し、額を額フレームに当接しければならず、かつ作業テーブルおよび額フレームは、異なる患者の頭の大きさに応じて調整可能なものでなければ、細隙灯装置を使用して患者に検査を行うことができない。したがって、既存の細隙灯装置の体積は大きすぎる傾向があり、携帯には不便であるばかりか値段も高い。検眼器についても体積の大きさに問題がある。
【０００４】
目前、手持ち細隙灯は開発されているが、その手持ち細隙灯は、細隙盤を回転することで異なるサイズの細隙を使用する。しかし、細隙は分光器とともに回転させることはできず、生成した光のタイプは細隙と一つの直線とならず、医師は手持ち細隙灯全体の角度や方位を手で調整して光の映す位置を制御しなければ、測定を効果的に行うことができず、使用上、不便利である。なお、視力の測定において、既存の技術では、検眼器を使用する外、患者を視力表から所定の距離の離れた位置に立たせて、表における、例えば「Ｅ」の開口方向を指させる方式で視力測定を行うことが多く使用されている。しかし、このような方式は、幼児、子供または視覚障害者の患者に適し難い。また、今までに、眼の構造の検査および視度の測定を同時に行うことができる装置はない。
【０００５】
以上のように、細隙、それに対応する細隙光角度、および方向を容易に調整することができるとともに、眼の視度を測定することができる光学測定装置及びそのシステムを提供することは課題である。
【考案の概要】
【課題を解決するための手段】
【０００６】
本考案の第１実施形態は、光学測定装置であって測定光を生成する発光素子と、前記発光素子よりも前記測定光の進行方向の下流側に位置し、前記測定光を受け取る光タイプ生成素子と、一端に第２磁気素子を有し、前記光タイプ生成素子よりも前記測定光の進行方向の下流側に位置し、光タイプが変更された測定光を伝送する光源伝送素子と、を備え、前記光タイプ生成素子は、盤体と、前記盤体の２つの表面を貫通している少なくとも一つの円形孔と、円盤であって、前記測定光を通過させて前記測定光の光タイプを変更して前記円盤の２つの表面を貫通している細隙を有し、前記円盤に対し回動するように前記円形孔に嵌め込まれている少なくとも１つの円盤と、前記細隙の両側のそれぞれに設けられている少なくとも２つの第１磁気素子と、を備え、前記第２磁気素子は数量が前記第１磁気素子と同様であり、前記光源伝送素子が回動する時、前記円盤および前記細隙も前記光源伝送素子とともに回動するように、各前記第１磁気素子は各前記第２磁気素子と磁気的に接続されている光学測定装置である。
【０００７】
本考案の第２実施形態は、光学測定装置と、撮像装置と、焦点距離整合モジュールと、演算ユニットと、を含み、前記光学測定装置は、測定光を生成する発光素子と、前記発光素子よりも前記測定光の進行方向の下流側に位置し、前記測定光を受け取り、前期測定光の光タイプを変更する光タイプ生成素子と、前記光タイプ生成素子よりも前記測定光の進行方向の下流側に位置し、光タイプが変更された測定光を伝送して眼底に入射させる光源伝送素子と、を有し、前記撮像装置は、前記眼底に反射した測定光が形成した光タイプの画像を取り込み、前記光タイプの画像を測定画像データに変換し、前記焦点距離整合モジュールは、前記撮像装置よりも前記反射した測定光の進行方向の上流側に位置し、前記測定画像データの鮮明度を制御し、前記演算ユニットは、前記測定画像データを受け取って前記測定画像データが鮮明か否かを解析するように前記撮像装置に電気的接続され、前記測定画像データは鮮明でない場合、前記焦点距離整合モジュールが焦点距離を調整し、前記撮像装置が新たな測定画像データを生成するように制御し、前記測定画像データが鮮明である場合、前記焦点距離整合モジュールにおける焦点距離に基づき、対応する視力値を取得する、光学測定システムである。
【０００８】
また、本考案のもう一つの実施形態は、第１または第２実施形態において、前記発光素子は発光ダイオードである。
【０００９】
また、本考案のもう一つの実施形態は、第１または第２実施形態において、前記測定光は可視光または不可視光である。
【００１０】
また、本考案のもう一つの実施形態は、第１または第２実施形態において、前記第１磁気素子および前記第２磁気素子は磁石である。
【００１１】
また、本考案のもう一つの実施形態は、第１または第２実施形態において、前記光源伝送素子の他端には、分光鏡またはプリズムであり、光タイプが変更された測定光の経路を変更する光学レンズを有する。
【００１２】
また、本考案のもう一つの実施形態は、第１または第２実施形態において、前記光源伝送素子に、前記光源伝送素子を通過した光を前記光学レンズに集光させるレンズセットが設けられている。
【００１３】
また、本考案のもう一つの実施形態は、第１または第２実施形態において、前記演算ユニットはコンピュータ、携帯電話またはタブレットであり、前記電気的接続は有線接続または無線接続である。
【００１４】
また、本考案のもう一つの実施形態は、第１または第２実施形態において、前記撮像装置は、相補型金属酸化膜半導体（ＣＭＯＳ）イメージセンサまたは電荷結合素子（ＣＣＤ）イメージセンサである。
【００１５】
また、本考案のもう一つの実施形態は、第１または第２実施形態において、前記光源伝送素子が伝送する前記光タイプが変更された測定光が前記眼底に入射する経路に設けられ、前記光タイプが変更された測定光が前記眼底に入射する光量を制御する絞り部材をさらに有する。
【００１６】
また、本考案のもう一つの実施形態は、第１または第２実施形態において、前記焦点距離整合モジュールはマトリックスレンズセットであり、前記マトリックスレンズセットは複数の焦点距離領域を含んでおり、前記複数の焦点距離領域のそれぞれは異なる焦点距離を有する。
【００１７】
また、本考案のもう一つの実施形態は、第１または第２実施形態において、前記焦点距離整合モジュールはそれぞれ異なる焦点距離を有する複数のレンズが嵌め込まれている部材であり、前記部材は前記撮像装置よりも前記反射した測定光の進行方向の上流側に位置し、前記複数のレンズのうちの一つにより前記光タイプの画像を集光して前記撮像装置に入らせる。
【００１８】
また、本考案のもう一つの実施形態は、第１または第２実施形態において、前記焦点距離整合モジュールは少なくとも電気的制御モータおよびレンズセットを含んでおり、前記レンズセットは、前記光タイプの画像を順に前記レンズセットを通過させて前記撮像装置に入射させるように前記撮像装置よりも前記反射した測定光の進行方向の上流側に位置し、前記電気的制御モータは、前記レンズセットの全体の焦点距離を変更する。
【００１９】
また、本考案のもう一つの実施形態は、第１または第２実施形態において、前記焦点距離整合モジュールは少なくとも電気的制御モータおよび充填式レンズ素子を含んでおり、前記充填式レンズ素子は、薄膜で形成されたチャンバーを有し、前記電気的制御モータは、液体を前記チャンバーに充填し、液体の量に応じて前記充填式レンズ素子の焦点距離を変更する。
【００２０】
また、本考案のもう一つの実施形態は、第１または第２実施形態において、前記分光鏡または前記プリズムがある角度を回転し、前記光タイプが変更された測定光が前記眼底に入射する位置を変更することで、前記演算ユニットは前記角度と前記測定画像データの相対的関係を解析して視力値を取得する。
【００２１】
また、本考案のもう一つの実施形態は、第１または第２実施形態において、前記光タイプ生成素子は、盤体と、前記盤体の２つの表面を貫通している少なくとも一つの円形孔と、円盤であって、前記測定光を通過させて前記測定光の光タイプを変更して前記円盤の２つの表面を貫通している細隙を有し、前記円盤に対し回動するように前記円形孔に嵌め込まれている少なくとも１つの円盤と、前記細隙の両側のそれぞれに設けられている少なくとも２つの第１磁気素子と、をさらに有する。
【００２２】
また、本考案のもう一つの実施形態は、第１または第２実施形態において、前記光源伝送素子の一端には第２磁気素子を有し、各前記第１磁気素子は各前記第２磁気素子に磁気的に接続され、前記光源伝送素子が回動する時、前記円盤および前記細隙も前記光源伝送素子とともに回動することで、前記光源伝送素子が伝送する光タイプが変更された測定光を前記眼底に入射させ、前記第２磁気素子は数量が前記第１磁気素子と同様である。
【００２３】
本考案の光学測定装置の光源伝送素子と光タイプ生成素子の間の磁気的連結によれば、前記光タイプ生成素子における細隙の方向は、前記光源伝送素子の光学レンズの方向にしたがって回動することにより、眼底に達した測定光の光タイプは細隙と一直線となり、かつ変動しないので、手動で光学測定装置全体の角度または方位を調整する必要はない。なお、光学レンズの方向は固定されている場合、前記光タイプ生成素子の他の細隙に変更した場合、前記測定光の光タイプの角度も変更されないので、ユーザーは容易かつ便利に測定を行える。また、本考案の光学測定システムは眼底に反射した測定光を受け取って測定画像データを生成することができ、かつ前記測定画像データは鮮明か否かを解析することができ、前記測定画像データは鮮明でない場合、鮮明な測定画像データを得るまで、再解析を行うための新たな測定画像データを生成するように前記焦点距離整合モジュールを制御して焦点距離を調整し、さらに、前記焦点距離整合モジュールにより前記測定画像データが鮮明である時の焦点距離に基づき、対応する視力値を取得する。これによって、本考案の光学測定システムは、視力測定機能をさらに備える。
【図面の簡単な説明】
【００２４】
【図１】図１は本考案の光学測定装置およびそのシステムの機能ブロック図である。
【図２】図２は本考案の光学測定装置の構成の模式図である。
【図３Ａ】図３Ａは本考案の焦点距離整合モジュールの第一実施例の模式図である。
【図３Ｂ】図３Ｂは本考案の焦点距離整合モジュールの第二実施例の模式図である。
【図３Ｃ】図３Ｃは本考案の焦点距離整合モジュールの第三実施例の模式図である。
【図３Ｄ】図３Ｄは本考案の焦点距離整合モジュールの第四実施例の模式図である。
【考案を実施するための形態】
【００２５】
以下、特定の実施例により本考案の実施の形態を説明する。また、当業者は、本考案の明細書に開示されている内容により、本考案の他の利点および効果を容易に了解し、かつ他の異なる具体的な実施例により本考案の施行または応用を行うこともできる。
【００２６】
図１に示すように、本考案の光学測定システム１は、光学測定装置１０と、撮像装置５０と、演算ユニット６０を含んでいる。一つの実施例において、光学測定システム１は、絞り部材３０および焦点距離整合モジュール４０をさらに有する。
【００２７】
光学測定装置１０は、発光素子１１と、光タイプ生成素子１２と、光源伝送素子１３を含んでいる。発光素子１１は回路基板１６に設けられ、測定光１４を生成する。発光素子１１の具体的な例は発光ダイオードであり、例えば、赤色（Ｒ）、緑色（Ｇ）または青色（Ｂ）の光を発する発光ダイオードである。また、測定光１４は可視光でも不可視光でもいい。なお、本実施の形態により本考案が限定されるものではない。
【００２８】
光タイプ生成素子１２は発光素子１１よりも測定光１４の進行方向の下流側に位置し、測定光１４を受取る。図２に示すように、光タイプ生成素子１２は、盤体１２０と、少なくとも１つの円形孔１２１と、少なくとも１つの円盤１２２と、少なくとも２つの第１磁気素子１２４とを含んでいる。
【００２９】
円形孔１２１は盤体１２０の２つの表面を貫通しており、円盤１２２は、盤体１２０に対して回動することができるように円形孔１２１に嵌め込まれている。１つの実施例において、円形孔１２１は環状の凹槽を有してもいい。円盤１２２は環状の凹槽に対応する凸部を有しているので、円盤１２２の凸部が円形孔１２１の環状の凹槽に嵌め込まれた後、円盤１２２は円形孔１２１に回動することができる。しかし、本考案では、円盤１２２と円形孔１２１の間に回動可能な仕組みは限定されない。
【００３０】
円盤１２２は円盤１２２の２つの表面を貫通している細隙１２３を有し、細隙１２３は測定光に通過されるので、細隙１２３は測定光１４の光タイプを変更することができる。１つの実施例において、１つの円盤１２２は１つの細隙１２３に対応し、かつ該細隙１２３は例えば、長方形や正方形や円形など、さまざまな形状に形成することができ、本考案では細隙１２３の形状の種類は限定されない。
【００３１】
円盤１２２の細隙１２３の両側にそれぞれ１つの第１磁気素子１２４が設けられ、つまり１つの円盤１２２に少なくとも２つの第１磁気素子１２４が設けられている。１つの実施例において、第１磁気素子１２４が設けられている位置は、２つの第１磁気素子１２４同士の間の連結線が細隙１２３に垂直するように設置される。しかし、本考案はこれに限定されない。
【００３２】
光源伝送素子１３は、光タイプ生成素子１２よりも測定光１４の進行方向の下流側に位置し、光タイプが変更された測定光１４を伝送し、光源伝送素子１３の一端に２つの第２磁気素子１３１を有している。具体的には、光源伝送素子１３は中空円柱体であり、一端に２つの支持部１３４が設けられ、各支持部１３４の末端に第２磁気素子１３１が設けられている。具体的には、光源伝送素子１３は円盤１２２よりも測定光１４の進行方向の下流側に位置することにより、第１磁気素子１２４は第２磁気素子１３１と接続することができ、すなわち第１磁気素子１２４と第２磁気素子１３１は磁気的に互いに吸引するように設置される。１つの実施例において、第１磁気素子１２４と第２磁気素子１３１は磁石である。本考案では第１磁気素子１２４と第２磁気素子１３１の個数は限定されない。
【００３３】
光源伝送素子１３の他端に光レンズ１３２を有し、光レンズ１３２は光タイプが変更された測定光１４の経路を変更し、例えば、測定光１４の経路を９０°回転することができるように、光レンズ１３２の法線は測定光１４の進行方向と４５°角をなすように光源伝送素子１３に設けられている。また、測定光１４が光レンズ１３２に集光されるように、光源伝送素子１３には、さらにレンズセット１３３が設けられている。
【００３４】
上記により、本考案の光学測定装置１０は、光源伝送素子１３の第２磁気素子１３１が光タイプ生成素子１２における円盤１２２の第１磁気素子１２４に接続した場合、光源伝送素子１３が回動すると、磁力により円盤１２２および細隙１２３も回動する。つまり、光タイプ生成素子１２における円盤１２２上の細隙１２３の方向は、光源伝送素子１３の光レンズ１３２の方向にしたがって回動することができる。このため、眼底に達した測定光の光タイプは細隙と一直線となり、かつ変動しないので、手動で光学測定装置全体の角度または方位を調整する必要はない。異なる細隙に変える場合、ユーザーはまず光タイプ生成素子１２を回動し、光源伝送素子１３の第２磁気素子１３１と円盤１２２の上の第１磁気素子１２４との間の磁気的接続をオフ（ＯＦＦ）にする。次に、光タイプ生成素子１２を次の円盤１２２に回動する。この時、光源伝送素子１３は動いていない（すなわち、固定されている）ので、第２磁気素子１３１が次の円盤の上の第１磁気素子１２４を吸引することで、前の細隙の方向と同じ方向となるように次の円盤の上の細隙１２３が自動に回動するので、測定光１４の光タイプの角度が変化せずに、ユーザーも手動で光学測定装置全体の角度または方位を調整する必要がないので、測定を容易かつ便利に行うことができる。上記光学測定装置１０により手持ち式細隙灯または眼底鏡を構成することができ、眼の構成や眼底に対し検査を行うことができる。
【００３５】
本考案は、上記の光学測定装置１０を、絞り部材３０と焦点距離整合モジュール４０と撮像装置５０と組み合わせることにより、眼底に対する測定画像データを取得することができ、また、演算ユニット６０により測定画像データを解析して視力値を取得する光学測定システム１を構成することができる。
【００３６】
図１に戻り、測定光１４は絞り部材３０を通過してから眼球２０に入射し、眼球の瞳孔２１、水晶体２２を通過して眼球の眼底２３に到達する。眼底２３にて反射した測定光１４は光タイプの画像１５に形成されてから、再び水晶体２２、瞳孔２１を通過して眼球２０の外部へ射出し、絞り部材３０を通過する。ここで、光タイプの画像というのは、測定光１４の光タイプが眼底２３に写した画像である。したがって、絞り部材３０は、光源伝送素子１３が伝送する光タイプが変更された測定光１４が眼底２３に入射する経路に設けられ、光タイプが変更された測定光１４が眼底２３に入射する光線量を制御するとともに、光線を集光して焦点整合モジュール４０を通過して撮像装置５０に入るように、光タイプの画像１５の光線量を制御する。
【００３７】
撮像装置５０は、眼底２３で測定光１４を反射して形成された光タイプの画像１５を取り込み、光タイプの画像１５を測定画像データに変換する。
【００３８】
該演算ユニット６０は、測定画像データを受け取って測定画像データは鮮明か否かを解析するように撮像装置５０に電気的接続され、測定画像データが鮮明でない場合、演算ユニットが再解析を行うための新たな測定画像データを生成するように焦点距離整合モジュールを制御して焦点距離を調整し、測定画像データが鮮明である場合、焦点距離整合モジュールにより測定画像データが鮮明である時の焦点距離に基づき、対応する視力値を取得する。測定画像データが鮮明か否かは、取り込まれた測定画像データが対応する光タイプの画像が、データベースに記憶されている光タイプの画像データと一致しているか否かを対比することにより決定され、一致している場合、鮮明であることを示し、一致していない場合、鮮明でないことを示す。
【００３９】
１つの実施例において、演算ユニット６０は、コンピュータ、携帯電話またはタブレットであり、電気的接続は、有線接続または無線接続であり、無線接続は、ブルートゥース（登録商標）やＷｉＦｉなどの無線技術である。
【００４０】
１つの実施例において、撮像装置は、相補型金属酸化膜半導体イメージセンサ（CMOS image sensor）または電荷結合素子イメージセンサ（CCD image sensor）であり、焦点距離整合モジュール４０は測定画像を鮮明にさせる。これにより、焦点距離整合モジュール４０と撮像装置５０と演算ユニット６０を組み合わせて、複数の測定画像データを分析し、もっとも鮮明な測定画像データを選択することができるので、焦点距離整合モジュール４０により測定画像データを鮮明にさせる焦点距離から眼球２０の視度を演算し得る。
【００４１】
以下は、焦点距離整合モジュール４０の複数の具体的な実施の形態を例示する。
【００４２】
１つの実施例において、図３Ａに示すように、焦点距離整合モジュール４０は、複数の収束領域４１を有するマトリクス式レンズセットであり、複数の収束領域４１のそれぞれは異なる焦点距離を有する。眼球２０は非正常な球体（すなわち近視または老眼）である場合、取得される測定画像データは鮮明でなく、つまり測定光１４は正確に眼底２３に焦点合わせがしていない。焦点距離整合モジュール４０はそれぞれ異なる収束領域４１を有するので、それぞれ異なる収束領域４１により、撮像装置５０が複数の測定画像データを取得することができ、演算ユニット６０は複数の測定画像データからもっとも鮮明な測定画像データを選出し、取得したもっとも鮮明な測定画像データの収束領域４１により、眼球２０視度に換算することができる。
【００４３】
１つの実施例において、図３Ｂに示すように、焦点距離整合モジュール４０は、円形の部材４２であり、部材４２にそれぞれ異なる焦点距離のレンズ４３が嵌め込まれており、複数のレンズは環状に並んでいるように部材４２の周辺に嵌め込まれている。部材４２は撮像装置５０よりも測定光１４の進行方向の上流側に位置し、複数のレンズ４３のいずれか１つにより光タイプの画像を収束して撮像装置５０に入れる。上記と同じように、もっとも鮮明な測定画像データが対応するレンズ４３の焦点距離により、眼球２０の視度に換算することができる。本実施例において、部材４２は円形であるが、他の形状でもよく、本考案はこれに限定されない。
【００４４】
１つの実施例において、図３Ｃに示すように、焦点距離整合モジュール４０は、少なくとも電気的制御モータ４４およびレンズセットを含んでいる。本実施例において、レンズセットは凸レンズ４５および凹レンズ４６を有することで説明するが、本考案はこれに限定されず、本考案のレンズセットは１つまたは多数の凸レンズ、凹レンズ、凸凹レンズ、凹凸レンズまたはその組み合わせで構成することができる。
【００４５】
凸レンズ４５および凹レンズ４６は、凸レンズ４５、凹レンズ４６および撮像装置５０の順に撮像装置５０よりも測定光１４の進行方向の上流側に位置し、光タイプの画像１５を凸レンズ４５および凹レンズ４６の順で通過させ、撮像装置に入射させる。ここで、電気的制御モータ４４は、凸レンズ４５または凹レンズ４６を移動して、凸レンズ４５と凹レンズ４６間の焦点距離を変更する。このような焦点距離を移動するメカニズムにより、もっとも鮮明な測定画像データが対応する凸レンズ４５と凹レンズ４６間の焦点距離を、該眼球２０の視度に換算することができる。他の実施例において、レンズセットは多数の凸レンズ、凹レンズ、凸凹レンズ、凹凸レンズまたはその組み合わせで構成された場合、電気的制御モータ４４が要求に応じてそのうちの１つまたは２つ以上に対して移動を行い、レンズセットの全体の焦点距離を変更する。本考案は電気的制御モータ４４がレンズセットを移動可能な数量に限定されない。
【００４６】
１つの実施例において、図３Ｄに示すように、焦点距離整合モジュール４０は、少なくとも電気的制御モータ４４および充填式レンズ素子４７を含んでいる。充填式レンズ素子４７は、薄膜で形成されたチャンバー４７１を有し、電気的制御モータ４４は、液体４８を管体４７２を介してチャンバー４７１に充填する。チャンバー４７１は液体４８に充填されて膨張し、チャンバー４７１は液体４８を排出したら縮小する。膨張または縮小させることにより、チャンバー４７１の焦点距離を制御し、すなわち、液体の量により充填式レンズ素子４７の焦点距離を変更する。このような焦点距離を変更するメカニズムにより、もっとも鮮明な測定画像データが対応する焦点距離を眼球２０の視度に換算することができる。
【００４７】
１つの実施例において、光学レンズ１３２は分光鏡またはプリズムであれば、分光鏡またはプリズムが回転することで光タイプが変更された測定光１４が眼底２３に入射する位置を変更し、演算ユニット６０は分光鏡またはプリズムが回転した角度、およびそれに対応する測定画像データを解析して視力値を取得することができる。
【００４８】
本考案の光学測定装置１によれば、眼底２３に反射した測定光１４を受け取って測定画像データを生成し、演算ユニット６０により測定画像データは鮮明か否かを解析することができ、測定画像データが鮮明でない場合、演算ユニット６０が再解析を行うための新たな測定画像データを生成するように焦点距離整合モジュール４０を制御して焦点距離を調整し、すなわち、演算ユニット６０は測定画像データの解析結果に対してフィードバックのメカニズムを有するので、焦点距離整合モジュール４０が焦点距離を調整する根拠とすることができ、もっとも鮮明な測定画像データを見付けることができるので、焦点距離整合モジュールにより測定画像データは鮮明になった焦点距離により視力値を取得できる。
【００４９】
具体的には、光学測定装置１０、絞り部材３０、焦点距離整合モジュール４０、および撮像装置５０を手持ち式装置とすることができる。撮像装置５０が測定画像データを取得した後、無線または有線伝送により測定画像データを外部の演算ユニット６０（例えば、携帯電話）に伝送することができるので、撮影した眼球２０の視度をさらに解析して取得することができる。本考案の光学測定システムは、近視や老眼の視力測定機能を備える外、乱視を測定する機能も有し、つまり、米字形の細隙１２３に合せて細隙が鮮明でない位置を検出して乱視の度数を測定する。したがって、本考案の光学測定システムはフル視力測定機能を備えている。
【００５０】
上記の実施の形態は、単に本考案を技術的原理、特徴および効果を例示として説明したが、本考案の実施可能な範囲を限定することはなく、当業者は本考案の精神及び範囲を離脱しない範囲で、上記の実施の形態を修飾し変更することができる。しかし、本考案が教示している内容を用いて完成した同等な修飾および変更は、すべて次に示す請求の範囲に含まれている。そして、本考案が請求する権利保護範囲は、次に示す請求の範囲の如しである。
【符号の説明】
【００５１】
１  光学測定システム
１０  光学測定装置
１１  発光素子
１２  光タイプ生成素子
１３  光源伝送素子
１４  測定光
１５  光タイプの画像
１６  回路基板
２０  眼球
２１  瞳孔
２２  水晶体
２３  眼底
３０  絞り部材
４０  焦点整合モジュール
４１  収束領域
４２  部材
４３  レンズ
４４  電気的制御モータ
４５  凸レンズ
４６  凹レンズ
４７  充填式レンズ素子
４８  液体
５０  撮影装置
６０  演算ユニット
１２０  盤体
１２１  円形孔
１２２  円盤
１２３  細隙
１２４  第１磁気素子
１３１  第２磁気素子
１３２  光学レンズ
１３３  レンズセット
１３４  支持部
４７１  チャンバー
４７２  管体
【図１】
0003206874.tif 000003
【図２】
0003206874.tif 000004
【図３Ａ】
0003206874.tif 000005
【図３Ｂ】
0003206874.tif 000006
【図３Ｃ】
0003206874.tif 000007
【図３Ｄ】
0003206874.tif 000008